(57)【要約】【課題】ギガビットイーサネット（登録商標）受動型光ネットワーク（ＧＥ−ＰＯＮ）システムでパスの切り替え可能な二重化装置及びその方法、及びその制御のためのフレームフォーマットを提供する。【解決手段】二重化装置は、２×Ｎスプリッタ、第１パス又は第２パスを通して２×Ｎスプリッタと接続され、所定の制御信号を受信して第１パスと第２パスを切り替える切り替え部を有する光線路終端装置(ＯＬＴ)及び信号環境によって切り替え要求を発生し、この発生した切り替え要求をＯＬＴに伝送する光加入者ネットワーク装置(ＯＮＵ)を備える。【選択図】図４　
2004096734.tif 000002
【特許請求の範囲】
【請求項１】
　光線路終端装置、該光線路終端装置と１つの光ファイバから構成されたワーキングパスラインを通して接続されたスプリッタ及び各光ファイバを通して前記スプリッタに接続された複数の光加入者ネットワーク装置を含むイーサネット（登録商標）受動型光ネットワークシステムの二重化装置において、
　前記光線路終端装置と前記スプリッタとの間に接続されて双方向通信を遂行する前記ワーキングパスラインと、
　１つの光ファイバから構成され、前記光線路終端装置と前記スプリッタとの間に接続されて双方向通信を遂行する二重化パスラインと、
　前記光線路終端装置から前記光加入者ネットワーク装置のうち１つの光加入者ネットワーク装置に伝送される信号から前記ワーキングパスラインの伝送損失を検出し、該ワーキングパスラインの切り替え情報を前記ワーキングパスラインを通して伝送する前記光加入者ネットワーク装置と、
　前記ワーキングパスラインを通して切り替え情報を受信し、該受信切り替え情報によって前記二重化パスラインを通して前記光加入者ネットワーク装置にデータを伝送する光線路終端装置と、を含むことを特徴とする二重化装置。
【請求項２】
　前記ワーキングパスライン及び二重化パスラインは、１＋１非復旧性切り替え方式によって切り替えられる請求項１記載の二重化装置。
【請求項３】
　前記スプリッタは、２×Ｎスプリッタである請求項１記載の二重化装置。
【請求項４】
　２×Ｎスプリッタと、
　第１パス又は第２パスを通して前記２×Ｎスプリッタと接続され、前記第１パス及び第２パスを所定の制御によって切り替える切り替え部を有する光線路終端装置と、
　信号環境によって切り替え要求を発生して前記光線路終端装置に伝送する光加入者ネットワーク装置と、を含むことを特徴とする二重化装置。
【請求項５】
　前記二重化装置は、受動型光ネットワークである請求項４記載の二重化装置。
【請求項６】
　前記二重化装置は、ギガビットイーサネット（登録商標）受動型光ネットワークである請求項４記載の二重化装置。
【請求項７】
　前記２×Ｎスプリッタの第１パス及び第２パスのうちいずれか１つは前記光線路終端装置と接続されてワーキングパスとして使用され、残りの１つは非接続状態でプロテクションパスとして存在する請求項４記載の装置。
【請求項８】
　前記２×Ｎスプリッタは、第１入力端及び第２入力端を備え、
　前記光線路終端装置による切り替えは、前記光線路終端装置との接続を断つことによってワーキングパスとして使用された前記２×Ｎスプリッタの第１入力端をプロテクションパスに切り替え、前記光線路終端装置と接続することによってプロテクションパスであった第２入力端をワーキングパスに切り替える請求項７記載の二重化装置。
【請求項９】
　前記光線路終端装置による切り替えは、前記光線路終端装置との接続を断つことによってワーキングパスとして使用された前記２×Ｎスプリッタの第２パスをワーキングパスに切り替え、前記光線路終端装置と接続することによってプロテクションパスであった第１パスをワーキングパスに切り替える請求項８記載の二重化装置。
【請求項１０】
　前記二重化装置は、ギガビットイーサネット（登録商標）受動型光ネットワークである請求項７〜請求項９のいずれか１項に記載の二重化装置。
【請求項１１】
　前記信号環境は、信号劣化、信号失敗及びパワーマージンの少なくとも１つの条件である請求項４記載の二重化装置。
【請求項１２】
　前記二重化装置は、ギガビットイーサネット（登録商標）受動型光ネットワークである請求項１１記載の装置。
【請求項１３】
　スプリッタと光線路終端装置との間に２つのパスが存在し、そのうちいずれか１つのみが接続状態でワーキングパスとして使用され、残りの１つは非接続状態でプロテクションパスとして使用される構造を有するギガビットイーサネット（登録商標）受動型光ネットワークシステムのための運用、管理、維持補修フレームが、
　光加入者ネットワーク装置によって発生され、前記２つのパス間の切り替え動作を要求するための情報を有するデータフィールドを含むことを特徴とするギガビットイーサネット（登録商標）受動型光ネットワークシステムのための運用、管理、維持補修フレーム。
【請求項１４】
　所定番目のビットがアラーム用として使用され、前記切り替え動作を要求する状態を検出したことを示すフラグフィールドをさらに含む請求項１３記載のギガビットイーサネット（登録商標）受動型光ネットワークシステムのための運用、管理、維持補修フレーム。
【請求項１５】
　イベント通知用として使用され、非同期情報であることを示す値を有するオペレーションコードをさらに含む請求項１４記載のギガビットイーサネット（登録商標）受動型光ネットワークシステムのための運用、管理、維持補修フレーム。
【請求項１６】
　２×Ｎスプリッタ、第１パス又は第２パスを通して前記２×Ｎスプリッタと接続され所定制御によって前記第１パスと第２パスを切り替える切り替え部を有する光線路終端装置及び光加入者ネットワーク装置を備える二重化装置で前記切り替えを制御する方法において、
　ａ）前記光加入者ネットワーク装置が信号環境をチェックする第１過程と、
　ｂ）前記光加入者ネットワーク装置が前記チェック結果によって切り替え要求を発生し、これを含むパケットを前記光線路終端装置に伝送する第２過程と、
　ｃ）前記光線路終端装置が前記パケットを受信して前記切り替え要求を検出する第４過程と、
　ｄ）光線路終端装置が前記切り替え要求に応答して現在のワーキングパスラインをプロテクションパスラインに切り替え及び現在のプロテクションパスラインをワーキングパスラインに切り替える第５過程と、からなることを特徴とする方法。
【請求項１７】
　前記二重化装置は、受動型光ネットワークである請求項１６記載の方法。
【請求項１８】
　前記二重化装置は、ギガビットイーサネット（登録商標）受動型光ネットワークである請求項１６記載の方法。
　
【発明の詳細な説明】
【技術分野】
【０００１】
　本発明は、ギガビットイーサネット（登録商標）受動型光ネットワーク(Gigabit Ethernet （登録商標） Passive Optical Network:ＧＥ−ＰＯＮ)システムに関し、特に、光線路終端装置(Optical Line Terminal: ＯＬＴ)とスプリッタ(Splitter)との間のパスを切り替え可能にする二重化(redundant)装置及び方法、及びその制御のためのフレームフォーマットに関する。
【背景技術】
【０００２】
　ＰＯＮシステムは、光ケーブル上で受動光分配器(passive optical splitter)を利用して１つの中央ノード（つまり、ＯＬＴ)と多数の地域ノード（つまり、光加入者ネットワーク装置(Optical Network Unit:ＯＮＵ)）とを接続することのできるポイントツーマルチポイント(Point-To-Multipoint)構造を有する。
【０００３】
　図１は、従来のＧＥ−ＰＯＮシステムの構造を示している。１つのＯＬＴと複数のＯＮＵを１×Ｎ受動型光分配器を使用して接続することによってツリー構造の分散トポロジーを形成する光加入者ネットワーク、つまり、ＰＯＮを具現する。
【０００４】
　図２は、レガシー(legacy)運用、管理、維持補修(Operation, administration, Maintenance：ＯＡＭ)フレームの構造を示す図である。“ＤＡ”は、目的地アドレス(Destination Address)を示し、６オクテット(octet(8 bits))からなる。“ＳＡ”は、ソースアドレス(source address)を示し、６オクテットからなる。“ＬＥＮＧＴＨ／ＴＹＰＥ”は、２オクテットからなる。“ＳＵＢＴＹＰＥ”は、０ｘ０３（つまり、１６進数の０及び３）の値を有し、１オクテットからなる。“ＶＥＲ”は、バージョン(version)情報を示し、１オクテットからなる。“ＦＬＡＧ”は、フラグ情報を示し、“ＯＰＣＯＤＥ”は、オペレーションコード(operation code:ＯＰ)を示し、それぞれ１オクテットからなる。“ＤＡＴＡ／ＰＡＤ”は、１０６オクテットからなる。“ＦＣＳ”は、フレームチェックサム(Frame Check Sum)を示し、４オクテットからなる。
【０００５】
　ＩＴＵ-Ｔ Ｇ．７８３において規定された自動スイッチングシステム(Automatic Switching System)においては、同期デジタル階層(Synchronous Digital Hierarchy: ＳＤＨ)のＫ１、Ｋ２バイトを使用して切り替え機能(switching function)を遂行する。
【０００６】
　現在、ＩＴＵ-Ｔ Ｇ．９８３．５は、広帯域光ネットワークの拡張した生存性(enhanced survivability)に対する標準化を完了し、追加の標準化フレームを使用する。しかしながら、広帯域光ネットワークの生存性を拡張するためにＫ１、Ｋ２バイトのそれぞれのフィールドを有する物理階層ＯＡＭ(Physical Layer OAM：ＰＬＯＡＭ)のような追加の標準化フレームは、異なるアップストリーム(upstream)フレーム及びダウンストリーム(downstream)フレームで具現される。
【０００７】
　ＩＴＵ-Ｔ Ｇ．９８３．５においては、非同期伝送モード−ＰＯＮ(Asynchronous Transfer Mode PON：ＡＴＭ−ＰＯＮ)トポロジー及びフレームフォーマットが定義されているが、既存の方式は、ＩＥＥＥ８０２．３ａｈ ＥＦＭ(Ethernet（登録商標） in the First Mile)ＯＡＭ切り替え方式において、フレーム伝送方法及び特性が異なるので適用することができない。
【０００８】
　ＯＬＴとスプリッタとの間の切り替え方法としては、ＯＬＴ-オンリープロテクティドシステム(OLT-only protected system)、ＯＬＴからＯＮＵまでの全区間を切り替える完全プロテクティドシステム(fully protect system)及びＸ:Ｎ切り替えの３つの方式がある。しかしながら、現在標準化が進行中であるＩＥＥＥ８０２．３ａｈ ＥＦＭによるＯＡＭトラック(track)においては、切り替え要求に対する機能を具現する技術が記載されていない。
【発明の開示】
【発明が解決しようとする課題】
【０００９】
　　従って、本発明の目的は、ＯＬＴと２×Ｎスプリッタとの間のパスの切り替えができるＧＥ−ＰＯＮシステムの二重化装置を提供することにある。
【００１０】
　本発明の他の目的は、ＧＥ−ＰＯＮシステムにおいてＯＬＴと２×Ｎスプリッタとの間のパスの切り替えを制御する方法及びその制御のためのフレーム構造を提供することにある。
【課題を解決するための手段】
【００１１】
　このような目的を達成するための本発明のＧＥ−ＰＯＮ装置は、２×Ｎスプリッタ、第１パス又は第２パスを通して２×Ｎスプリッタと接続され、所定の制御信号を受信して第１パスと第２パスを切り替える切り替え部を有する光線路終端装置(ＯＬＴ)、及び信号環境によって切り替え要求を発生し、この発生した切り替え要求をＯＬＴに伝送する光加入者ネットワーク装置(ＯＮＵ)を備える。
【００１２】
　すなわち、本発明は、ＯＬＴ、このＯＬＴと１つの光ファイバから構成されたワーキングパスラインを通して接続されたスプリッタ及び各光ファイバを通してスプリッタに接続された複数のＯＮＵを含むＧＥ−ＰＯＮシステムの二重化装置において、ＯＬＴとスプリッタとの間に接続されて双方向通信を遂行するワーキングパスラインと、１つの光ファイバから構成され、ＯＬＴとスプリッタとの間に接続されて双方向通信を遂行する二重化パスラインと、ＯＬＴからＯＮＵのうち１つのＯＮＵに伝送される信号からワーキングパスラインの伝送損失を検出し、このワーキングパスラインの切り替え情報をワーキングパスラインを通して伝送するＯＮＵと、ワーキングパスラインを通して切り替え情報を受信し、この受信切り替え情報によって二重化パスラインを通してＯＮＵにデータを伝送するＯＬＴと、を含むことを特徴とする二重化装置を提供する。
【００１３】
　この二重化装置で、ワーキングパスライン及び二重化パスラインは、１＋１非復旧性切り替え方式によって切り替えられるとよく、スプリッタは、２×Ｎスプリッタであると好ましい。
【００１４】
　また、本発明では、２×Ｎスプリッタと、第１パス又は第２パスを通して２×Ｎスプリッタと接続され、第１パス及び第２パスを所定の制御によって切り替える切り替え部を有するＯＬＴと、信号環境によって切り替え要求を発生してＯＬＴに伝送するＯＮＵと、を含むことを特徴とする二重化装置をも提供する。
【００１５】
　この記二重化装置は、ＰＯＮであるとよく、ＧＥ−ＰＯＮであってもよい。
【００１６】
　２×Ｎスプリッタの第１パス及び第２パスのうちいずれか１つはＯＬＴと接続されてワーキングパスとして使用され、残りの１つは非接続状態でプロテクションパスとして存在すると好ましい。
【００１７】
　２×Ｎスプリッタは、第１入力端及び第２入力端を備え、光線路終端装置による切り替えは、光線路終端装置との接続を断つことによってワーキングパスとして使用された２×Ｎスプリッタの第１入力端をプロテクションパスに切り替え、ＯＬＴと接続することによってプロテクションパスであった第２入力端をワーキングパスに切り替えるとなおよい。
【００１８】
　そのＯＬＴによる切り替えは、ＯＬＴとの接続を断つことによってワーキングパスとして使用された２×Ｎスプリッタの第２パスをワーキングパスに切り替え、ＯＬＴと接続することによってプロテクションパスであった第１パスをワーキングパスに切り替えるとなお好ましい。
【００１９】
　この二重化装置は、ＧＥ−ＰＯＮであるとよい。
【００２０】
　信号環境は、信号劣化、信号失敗及びパワーマージンの少なくとも１つの条件であるとよい。ここで、二重化装置は、ＧＥ−ＰＯＮであると好ましい。
【００２１】
　さらに、本発明では、スプリッタとＯＬＴとの間に２つのパスが存在し、そのうちいずれか１つのみが接続状態でワーキングパスとして使用され、残りの１つは非接続状態でプロテクションパスとして使用される構造を有するＧＥ−ＰＯＮシステムのための運用、管理、維持補修（ＯＡＭ）フレームが、ＯＮＵによって発生され、２つのパス間の切り替え動作を要求するための情報を有するデータフィールドを含むことを特徴とするＧＥ−ＰＯＮシステムのためのＯＡＭフレームも提供する。
【００２２】
　このＯＡＭフレームは、所定番目のビットがアラーム用として使用され、切り替え動作を要求する状態を検出したことを示すフラグフィールドをさらに含むとよく、また、イベント通知用として使用され、非同期情報であることを示す値を有するオペレーションコードをさらに含むようにしても好ましい。
【００２３】
　さらにまた、本発明では、２×Ｎスプリッタ、第１パス又は第２パスを通して２×Ｎスプリッタと接続され所定制御によって第１パスと第２パスを切り替える切り替え部を有するＯＬＴ及びＯＮＵを備える二重化装置で切り替えを制御する方法において、ａ）ＯＮＵが信号環境をチェックする第１過程と、ｂ）ＯＮＵがチェック結果によって切り替え要求を発生し、これを含むパケットをＯＬＴに伝送する第２過程と、ｃ）ＯＬＴがパケットを受信して切り替え要求を検出する第４過程と、ｄ）ＯＬＴが切り替え要求に応答して現在のワーキングパスラインをプロテクションパスラインに切り替え及び現在のプロテクションパスラインをワーキングパスラインに切り替える第５過程と、からなることを特徴とする方法を提供する。
【００２４】
　この方法法において二重化装置は、ＰＯＮであるとよく、また、ＧＥ−ＰＯＮであってもよい。
【発明の効果】
【００２５】
　本発明によれば、ＯＬＴと加入者区間に近接し受動素子として機能するスプリッタとの間に二重化構造を生成することによって、システムの安定化及び低コスト化を可能にすることができる。二重化切り替え方法は、現在ギガビット程度のバックボーンイーサネット（登録商標）光線路及び加入者装置という２つの特性に必ず必要であるので、ＧＥ−ＰＯＮシステムの競争力を高めることができるようになる。さらに、本発明によれば、実際に具現する場合においても、既存のスプリッタを利用して１＋１構成のスイッチブロックを低コストで簡単に設計することができ、標準化で進行中であるフレームフォーマットに切り替えてフィールドを追加することによって、システム具現及びシステム標準化に同時に寄与するようになる。
【発明を実施するための最良の形態】
【００２６】
　以下、本発明に従う好適な一実施形態について添付図を参照しつつ詳細に説明する。下記の説明において、本発明の要旨のみを明確にする目的で、関連した公知機能または構成に関する具体的な説明は省略する。
【００２７】
　本発明の一実施形態では、標準化進行中のＯＡＭフィールドに含まれる非同期情報を表示する通知(notification)フィールドを使用して自動切り替え動作または強制切り替え動作を遂行する。自動切り替え動作は、信号劣化(signal degrade：ＳＤ)、信号失敗(signal fail：ＳＦ)、パワーマージン(power margin)などの自動切り替え要求を受信する場合に遂行される。強制切り替え動作は、使用者によって遂行される。切り替え構造は、１＋１非復旧性切り替え方式(non-recovery switching scheme)のデータフローを有するように構成されるが、規定されたコマンドによって切り替えられるブロックは１：１復旧性切り替え方式のスイッチブロックを適用する。また、本発明の一実施形態では、最初に受信したＯＮＵ ＩＤを用いてＯＬＴにイベントを通知し、これを受信したＯＬＴ受信部が切り替えコマンドを発生し、ＯＬＴ内のスイッチングブロック及び２×Ｎスプリッタを用いて５０ms時間内に切り替え機能が遂行される。さらに、本発明の一実施形態では、近端(near-end)と遠端(far-end)との間のシグナリングＯＡＭフレームの非同期情報を伝達するために適応されるフラグビット及びＯＰコードを用い必要な情報をデータフレームに含めて、これを伝送することができる。スイッチング時間を短縮するためにフラグ(flag)ビット及びＯＰコードのみでメッセージを近端に送ることもできる。フラグビットのみを見て切り替えができるようにすると、データフレームから情報を読み取り又は書き込む動作によって発生するサービス停止時間(service halt time)をその分だけ低減することができる。サービス停止時間は、検出(detection)時間、スイッチング時間、及びスイッチング監視(guard)時間からなる。さらにまた、フラグビットのみを用いることによってタイムセービング(time saving)を認識することができる。
【００２８】
切り替え要求イベントのメッセージを受信すると、近端では対応するＳＤ、ＳＦ、電力損失などの受信メッセージをシステムの上位階層に伝送する前に、スイッチ(すなわち、１：１構造のスイッチ)のように機能する特定のブロックを用いて自動切り替え動作をするようにする。近端のＯＬＴにおいて、ＳＦ、ＳＤに対する信号がトリガー(trigger)される場合、近端ロジックで処理する。遠端のＯＮＵにおいて、ＳＦ、ＳＤに対応する信号がトリガーされる場合は、ＯＡＭフレーム内に定義されたフラグビット及びＯＰコードを用いて切り替え要求を発生する。この切り替え要求が非復旧性切り替え方式で発生されると、切り替え前に最初のワーキング(working)パスラインに戻る場合は、コマンド入力を伴う動作が必要になる。
【００２９】
　図３は、本発明の一実施形態によるＧＥ−ＰＯＮシステムに使用するための二重化(redundant)装置の構造を示す図である。二重化装置は、図１とは異なり２×Ｎスプリッタを備え、パス切り替え制御を遂行する。具体的に説明すると、ＯＬＴが１つの光ファイバのみから構成された双方向通信ができるワーキングパスラインを通して２×Ｎスプリッタと接続されており、さらに、そのワーキングパスライン以外に追加された二重化パスラインもシングル光ファイバから構成されている。複数のＯＮＵは個々の光ファイバを通して２×Ｎスプリッタに接続されている。また、各ＯＮＵは、ＯＬＴからＯＮＵのうちの１つに伝送された受信信号からワーキングパスラインの伝送損失、及び、ワーキングパスラインを他のワーキングパスラインに切り替えるための伝送情報を検出するように構成される。ＯＬＴはワーキングパスラインを通して切り替え情報を受信し、その後、切り替え情報に従い二重化パスラインを通してＯＮＵにデータを伝送する。
【００３０】
　図４(ａ)〜(ｃ)は、本発明の一実施形態によるＧＥ−ＰＯＮシステムの二重化装置における２×Ｎスプリッタ間の切り替え過程を示す図である。図４(ａ)は、ダウンストリームの場合であり、ＯＮＵが信号環境をチェックしてＳＦ／ＳＤ情報を検出する状態を示している。図４(ｂ)は、アップストリームの場合であり、ＯＮＵがチェック結果によって切り替え要求のためのＯＡＭフレームを発生し、これを含むパケットをＯＬＴに伝送して、ＯＬＴがパケットを受信し切り替え要求を検出する状態を示している。図４(ｃ)は、ダウンストリームの場合であり、ＯＬＴが受信した切り替え要求に応答して現在のワーキングパスラインをプロテクションパス(protection path)ラインに切り替え、プロテクションパスが現在のワーキングパスであり、元のワーキングパスが現在のプロテクションパスであるスワップ(swap)指示をする状態を示している。
【００３１】
　図５Ａ〜Ｃは、本発明の一実施形態によるＯＡＭフレームのフォーマットを示している。図５Ａは、ＳＤまたはＳＦを検出する場合に使用するアラームフィールドを含むＯＡＭフレームの第１フォーマットを示しており、フラグビットのうち７番目のアラーム表示(Alarm Indication:ＡＩ)ビットを利用する。ＡＩフィールドは、アラーム状態が検出された場合、ビットを１にエンコーディングしてアラーム状態が発生したことをＯＬＴに知らせる。
【００３２】
　図５Ｂは、まだ定義されていない誤謬(fault)が検出された場合に生成されるＣＥフィールド、ローカル(local)ＤＴＥ(Data Terminal Equipment)と情報（期待値）が一致しない場合に発生するＲ／Ｓフィールド、遠隔(remote)ＤＴＥと情報（期待値）が一致しない場合に発生するＬ／Ｓフィールド、受信端でエラーがある場合に発生するＬＦ(Link Fault)フィールド、受信端で非復旧エラーがある場合に発生するＤＧ(Dying Gasp)フィールドを含むＯＡＭフレームの第２フォーマットを示している。
【００３３】
　図５Ｃは、イベント通知(event notification)のためのオペレーションフィールド及び切り替え要求を有するデータフィールドを含むＯＡＭフレームの第３フォーマット示している。オペレーションフィールドは、参照符号ＥＮとして表示しており、数字の３（つまり、０ｘ０３）で示される十六進数からなる１オクテットで構成されている。データフィールドは、ＯＬＴに具体的な情報を提供するために、既存の温度(temperature:ＴＥ)フィールド、エラー率(error rate:ＥＲ)フィールド、電力／電圧(power/voltage:ＰＶ)フィールド、プロテクション切り替え(Protection Switching：ＰＳ)フィールドを含んでいる。データフレームに可変コンテナ(variable container)を使用して必要な情報を共に伝送することもできる。必要な情報として、ソースＩＤ(source ID)、ライン(line)番号及びその他の情報が定義される。
【００３４】
　図６は、本発明の一実施形態によるＧＥ−ＰＯＮシステムのＯＮＵにおいてＯＬＴと２×Ｎスプリッタとの間のパス切り替え動作を要求する過程を示すフローチャートである。段階６１０(SD/SF CONDITION DETECTED ?)で、ＯＮＵは信号環境をチェックする。その結果、ＳＤまたはＳＦが検出されると、段階６２０(AL=1, EN=0x03)に進み、ＯＮＵがチェック結果に従って切り替え要求を発生する。つまり、図５Ａに示したようにＡＩを１に設定する。さらに、図５Ｃに示したようにＥＮフィールに０ｘ０３が記録され、データフィールドにＰＳが含められる。段階６３０(TRANSMIT PACKET)で、前術のような情報を含むパケットをＯＬＴに伝送する。
【００３５】
　図７は、本発明の一実施形態によるＧＥ−ＰＯＮシステムにおいて、ＯＬＴと２×Ｎスプリッタとの間のパス切り替えを実施する過程を示すフローチャートである。
【００３６】
　段階７１０(RECEIVE PACKET)で、ＯＬＴがパケットを受信すると、段階７２０(7TH BIT OF FLAG =1 ?)に進み、受信パケットからフラグフィールドの７番目のビットが１であるかをチェックする。チェックの結果、１である場合、段階７３０(OP CODE = 0X03 ?)で、ＯＰコードが０ｘ０３であるか否かをチェックする。チェック結果、ＯＰコードが０ｘ０３である場合、受信情報が非同期情報であることを認識する。段階７４０(SWITCHING)で、データフィールドのＰＳを検出し、例えば、図４Ｃに示すように現在のワーキングパスラインをプロテクションパスに切り替え、プロテクションパスをワーキングパスラインに切り替える。
【００３７】
　前述の如く、本発明を具体的な一実施形態を参照して詳細に説明してきたが、本発明の範囲は前術の実施形態によって限られるべきではなく、本発明の範囲内で様々な変形が可能であるということは、当該技術分野における通常の知識を持つ者には明らかである。
【図面の簡単な説明】
【００３８】
【図１】従来のＧＥ−ＰＯＮシステムの構造を示す図。
【図２】レガシーＯＡＭフレームのフォーマットを示す図。
【図３】本発明の一実施形態によるＧＥ−ＰＯＮシステムの二重化装置の構造を示す図。
【図４】(ａ)〜(ｃ)は本発明の一実施形態によるＧＥ−ＰＯＮシステムの二重化装置において、２×Ｎスプリッタ間のパス切り替えが遂行される過程を示す図。
【図５】(ａ)は、本発明の一実施形態によるＯＡＭフレームの第１フォーマットを示し、(ｂ)は、本発明の一実施形態によるＯＡＭフレームの第２フォーマットを示し、(ｃ)は、本発明の一実施形態によるＯＡＭフレームの第３フォーマットで、イベント通知(event notification)のためのオペレーションフィールド及び切り替え要求を含むデータフィールドを示す図。
【図６】本発明の一実施形態によるＧＥ−ＰＯＮシステムのＯＮＵにおいて、ＯＬＴと２×Ｎスプリッタとの間のパス切り替えを要求する過程を示すフローチャート。
【図７】本発明の一実施形態によるＧＥ−ＰＯＮシステムにおいて、ＯＬＴと２×Ｎスプリッタとの間ののパス切り替えを実施する過程を示すフローチャート。
【図１】
2004096734.tif 000003
【図２】
2004096734.tif 000004
【図３】
2004096734.tif 000005
【図４】
2004096734.tif 000006
【図５】
2004096734.tif 000007
【図６】
2004096734.tif 000008
【図７】
2004096734.tif 000009